(57)【特許請求の範囲】
【請求項１】
正面視で、隔離籠を含み、前記隔離籠の右側には連結軸が回転可能に連結され、前記連結軸には蓋が固定的に設置され、前記蓋と前記隔離籠との間には作業空間が設置され、前記作業空間内には研究箱がスライド可能に連結され、前記研究箱内には連動チャンバが設置され、前記連動チャンバの頂側壁には連結チャンバが設置され、前記連動チャンバの頂壁には空きチャンバが設置され、前記空きチャンバの頂壁には頂部チャンバが設置され、前記頂部チャンバの頂壁には上方に開口した研究チャンバが設置され、前記研究チャンバの右側壁にはモータ空間が設置され、前記モータ空間と、前記研究チャンバと、前記空きチャンバと、前記連動チャンバとの中には固定装置が設置され、前記固定装置は動物を固定でき、前記固定装置は前記モータ空間、前記研究チャンバ、前記空きチャンバ及び前記連動チャンバに加えて、前記連結チャンバ及び前記頂部チャンバの中にも設置され、
前記固定装置は捻り軸を含み、前記捻り軸は前記連動チャンバの前後側壁に回転可能に連結され、前記捻り軸には捻りばねが固定的に設置され、前記捻りばねの片側は前記連動チャンバの後側壁と固定的に連結され、前記捻り軸には固定ベルトが連結され、前記モータ空間の後側壁には固定モータが固定的に設置され、前記固定モータの前側には固定モータ軸が伝動可能に連結され、前記固定モータ軸にはリールが固定的に設置され、前記リールと前記捻り軸との間には固定ベルトが連結され、前記研究チャンバの底壁には底部板が固定的に設置され、前記底部板に動物を置くことができ、前記連動チャンバの底壁には挟み板が固定的に連結され、前記連動チャンバの頂壁には固定ばねが設置され、前記固定ばねの片側にはばねブロックが固定的に連結され、前記ばねブロックと前記挟み板とによって前記固定ベルトを固定でき、
前記連動チャンバの底壁には解錠スライドチャンバが左右対称に、且つ固定的に設置され、前記作業空間の底壁には位置制限スライドチャンバが左右対称に設置され、前記作業空間と前記解錠スライドチャンバとの中には駆動装置が設置され、前記駆動装置は前記固定装置を駆動して解錠させられ、且つ前記研究箱を駆動して上下移動させられ、前記作業空間の左側壁には開閉スライドチャンバが設置され、前記蓋の底面には開口チャンバが設置され、前記開口チャンバと前記開閉スライドチャンバとの間にはロック装置が設置され、前記ロック装置は前記蓋の開閉を制御できることを特徴とする小動物に対する伝染病隔離監護籠。
【請求項２】
前記駆動装置は動力モータと、動力軸と、楕円盤と、位置制限スライド棒と、位置制限スライドブロックと、従動ブロックと、位置制限ばねとを含み、前記動力モータは前記作業空間の底壁に固定的に装着され、前記動力モータ内には動力軸が伝動可能に連結され、前記動力軸には楕円盤が固定的に設置され、前記位置制限スライドチャンバの左右側壁には位置制限スライド棒が固定的に設置され、前記位置制限スライド棒には位置制限スライドブロックがそれぞれスライド可能に連結され、前記位置制限スライドブロックの頂面には従動ブロックが固定的に設置され、前記従動ブロックの片側面と前記作業空間との間には位置制限ばねが連結されていることを特徴とする請求項１に記載の小動物に対する伝染病隔離監護籠。
【請求項３】
すべての前記従動ブロックの前側面には昇降棒がヒンジで連結され、前記昇降棒の片側は前記研究箱とヒンジで連結され、前記昇降棒にはヒンジ連結棒がヒンジで連結され、前記ヒンジ連結棒の頂側には解錠スライドブロックがヒンジで連結され、前記解錠スライドブロックは前記解錠スライドチャンバとスライド可能に連結され、前記解錠スライドブロックの頂面には細スライド棒が固定的に設置され、前記細スライド棒は前記ばねブロックと固定的に連結され、前記細スライド棒と前記挟み板とはスライド可能に連結されていることを特徴とする請求項１に記載の小動物に対する伝染病隔離監護籠。
【請求項４】
前記ロック装置はロック棒と、締付ばねと、ロックブロックとを含み、前記ロック棒は前記開閉スライドチャンバ内にスライド可能に装着され、前記ロック棒と前記開閉スライドチャンバとの間には締付ばねが連結され、前記開口チャンバの右側壁にはロックブロックが固定的に設置され、前記ロックブロックは前記ロック棒と協働できることを特徴とする請求項１に記載の小動物に対する伝染病隔離監護籠。
【請求項５】
前記連動チャンバと、前記空きチャンバと、前記研究チャンバとの中には定滑車が総計五つ設置されていることを特徴とする請求項１に記載の小動物に対する伝染病隔離監護籠。
【請求項６】
前記蓋の頂側には手入れチャンバが左右対称に設置され、前記手入れチャンバの底側にはゴム手袋がそれぞれ固定的に設置されていることを特徴とする請求項１に記載の小動物に対する伝染病隔離監護籠。
【請求項７】
前記蓋の頂面には消毒換気システムが設置されていることを特徴とする請求項６に記載の小動物に対する伝染病隔離監護籠。
【請求項８】
前記蓋はガラスで作製されることを特徴とする請求項６に記載の小動物に対する伝染病隔離監護籠。
【発明の詳細な説明】
【技術分野】
【０００１】
本発明は医学防護分野を取り上げ、具体的には小動物に対する伝染病隔離監護籠である。
【背景技術】
【０００２】
現在、動物が飼われる時に、よく突発的な伝染病に遭い、もし迅速に対応できなければ、伝染病が爆発的に拡散し、経済的な損失を引き起こす。同時に、人間にまで危害を及ぼす。動物が伝染病にかかった後に、直ちに動物を研究し、ウイルス又は黴菌の種類を確定し、治療薬を確定する。
しかし、市販される籠のほとんどが外部と連通し、ウイルスや黴菌の伝播を阻止できず、研究時に研究者の身を脅かし、また、籠では、研究者が動物に観察や研究をする時に不便である。
【先行技術文献】
【特許文献】
【０００３】
【特許文献１】中国特許出願公開第１０７７１１５２８号明細書
【発明の概要】
【発明が解決しようとする課題】
【０００４】
本発明は小動物に対する伝染病隔離監護籠を提供し、既存技術にある上記の欠点を解消することを目的とする。
【課題を解決するための手段】
【０００５】
本発明は以下の技術プランを提供する：本発明の小動物に対する伝染病隔離監護籠は、隔離籠を含み、前記隔離籠の右側には連結軸が回転可能に連結され、前記連結軸には蓋が固定的に設置され、前記蓋と前記隔離籠との間には作業空間が設置され、前記作業空間内には研究箱がスライド可能に連結され、前記研究箱内には連動チャンバが設置され、前記連動チャンバの頂側壁には連結チャンバが設置され、前記連動チャンバの頂壁には空きチャンバが設置され、前記空きチャンバの頂壁には頂部チャンバが設置され、前記頂部チャンバの頂壁には上方に開口した研究チャンバが設置され、前記研究チャンバの右側壁にはモータ空間が設置され、前記モータ空間と、前記研究チャンバと、前記空きチャンバと、前記連動チャンバとの中には固定装置が設置され、前記固定装置は動物を固定でき、前記固定装置は前記モータ空間、前記研究チャンバ、前記空きチャンバ及び前記連動チャンバに加えて、前記連結チャンバ及び前記頂部チャンバの中にも設置され、
前記固定装置は捻り軸を含み、前記捻り軸は前記連動チャンバの前後側壁に回転可能に連結され、前記捻り軸には捻りばねが固定的に設置され、前記捻りばねの片側は前記連動チャンバの後側壁と固定的に連結され、前記捻り軸には固定ベルトが連結され、前記モータ空間の後側壁には固定モータが固定的に設置され、前記固定モータの前側には固定モータ軸が伝動可能に連結され、前記固定モータ軸にはリールが固定的に設置され、前記リールと前記捻り軸との間には固定ベルトが連結され、前記研究チャンバの底壁には底部板が固定的に設置され、前記底部板に動物を置くことができ、前記連動チャンバの底壁には挟み板が固定的に連結され、前記連動チャンバの頂壁には固定ばねが設置され、前記固定ばねの片側にはばねブロックが固定的に連結され、前記ばねブロックと前記挟み板とによって前記固定ベルトを固定でき、
前記連動チャンバの底壁には解錠スライドチャンバが左右対称に、且つ固定的に設置され、前記作業空間の底壁には位置制限スライドチャンバが左右対称に設置され、前記作業空間と前記解錠スライドチャンバとの中には駆動装置が設置され、前記駆動装置は前記固定装置を駆動して解錠させられ、且つ前記研究箱を駆動して上下移動させられ、前記作業空間の左側壁には開閉スライドチャンバが設置され、前記蓋の底面には開口チャンバが設置され、前記開口チャンバと前記開閉スライドチャンバとの間にはロック装置が設置され、前記ロック装置は前記蓋の開閉を制御できる。
【０００６】
前述した技術プランの上で、前記駆動装置は動力モータと、動力軸と、楕円盤と、位置制限スライド棒と、位置制限スライドブロックと、従動ブロックと、位置制限ばねとを含み、前記動力モータは前記作業空間の底壁に固定的に装着され、前記動力モータ内には動力軸が伝動可能に連結され、前記動力軸には楕円盤が固定的に設置され、前記位置制限スライドチャンバの左右側壁には位置制限スライド棒が固定的に設置され、前記位置制限スライド棒には位置制限スライドブロックがそれぞれスライド可能に連結され、前記位置制限スライドブロックの頂面には従動ブロックが固定的に設置され、前記従動ブロックの片側面と前記作業空間との間には位置制限ばねが連結されている。
【０００７】
前述した技術プランの上で、すべての前記従動ブロックの前側面には昇降棒がヒンジで連結され、前記昇降棒の片側は前記研究箱とヒンジで連結され、前記昇降棒にはヒンジ連結棒がヒンジで連結され、前記ヒンジ連結棒の頂側には解錠スライドブロックがヒンジで連結され、前記解錠スライドブロックは前記解錠スライドチャンバとスライド可能に連結され、前記解錠スライドブロックの頂面には細スライド棒が固定的に設置され、前記細スライド棒は前記ばねブロックと固定的に連結され、前記細スライド棒と前記挟み板とはスライド可能に連結されている。
【０００８】
前述した技術プランの上で、前記ロック装置はロック棒と、締付ばねと、ロックブロックとを含み、前記ロック棒は前記開閉スライドチャンバ内にスライド可能に装着され、前記ロック棒と前記開閉スライドチャンバとの間には締付ばねが連結され、前記開口チャンバの右側壁にはロックブロックが固定的に設置され、前記ロックブロックは前記ロック棒と協働できる。
【０００９】
前述した技術プランの上で、前記連動チャンバと、前記空きチャンバと、前記研究チャンバとの中には定滑車が総計五つ設置されている。
【００１０】
前述した技術プランの上で、前記蓋の頂側には手入れチャンバが左右対称に設置され、前記手入れチャンバの底側にはゴム手袋がそれぞれ固定的に設置されている。
【００１１】
前述した技術プランの上で、前記蓋の頂面には消毒換気システムが設置されている。
【００１２】
前述した技術プランの上で、前記蓋はガラスで作製される。
【発明の効果】
【００１３】
本発明は以下のプラス効果を有する：本装置は小動物に隔離と固定を行え、伝統的な籠と比べ、本装置は動物と人間とを隔離できるだけでなく、伝染源付きの黴菌とウイルスもともに隔離でき、研究者が伝染病にかかる危険性を大幅に下げ、同時に本装置には消毒換気システムが設置され、動物に新しい酸素を提供でき、さらにウイルスと黴菌を殺められ、ウイルスと黴菌の拡散を防げ、また、本装置は動物を装置内に固定でき、動物に研究と治療を行う時に便利である。
【図面の簡単な説明】
【００１４】
下記に図１〜４を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明である小動物に対する伝染病隔離監護籠の全体全断面の正面構成略図
【図２】図２は図１におけるＡの局部拡大図
【図３】図３は図１における動力軸と楕円盤の装着略図
【図４】図４は図１における上面図
【発明を実施するための形態】
【００１６】
本明細書が開示したすべての技術的特徴、又は開示したすべての技術プランと過程中のステップは、互いに排斥する特徴或いはステップ以外に、いかなる方式で組み合わせることができる。
【００１７】
本明細書が開示したすべての技術的特徴は、特に明記しない限り、そのほかの同等或いは類似する目的を持つ代替特徴に取り替えられる。即ち特に明記しない限り、全ての特徴は一連の同等或いは類似する技術的特徴における一つの例に過ぎない。
【００１８】
付図１〜４を参照し、本発明は以下の実施例を提供する：本発明である小動物に対する伝染病隔離監護籠は、隔離籠２１を含み、前記隔離籠２１の右側には連結軸３１が回転可能に連結され、前記連結軸３１には蓋２８が固定的に設置され、前記蓋２８と前記隔離籠２１との間には作業空間２７が設置され、前記作業空間２７内には研究箱３０がスライド可能に連結され、前記研究箱３０内には連動チャンバ５１が設置され、前記連動チャンバ５１の頂側壁には連結チャンバ６１が設置され、前記連動チャンバ６１の頂壁には空きチャンバ３６が設置され、前記空きチャンバ３６の頂壁には頂部チャンバ５４が設置され、前記頂部チャンバ５４の頂壁には上方に開口した研究チャンバ２９が設置され、前記研究チャンバ２９の右側壁にはモータ空間３２が設置され、前記モータ空間３２と、前記研究チャンバ２９と、前記空きチャンバ３６と、前記連動チャンバ５１との中には固定装置１０１が設置され、前記固定装置１０１は動物を固定でき、前記固定装置は前記モータ空間３２、前記研究チャンバ２９、前記空きチャンバ３６及び前記連動チャンバ５１に加えて、前記連結チャンバ６１及び前記頂部チャンバ５４の中にも設置され、前記固定装置１０１は捻り軸５３を含み、前記捻り軸５３は前記連動チャンバ５１の前後側壁に回転可能に連結され、前記捻り軸５３には捻りばね５２が固定的に設置され、前記捻りばね５２の片側は前記連動チャンバ５１の後側壁と固定的に連結され、前記捻り軸５３には固定ベルト５５が連結され、前記モータ空間３２の後側壁には固定モータ３５が固定的に設置され、前記固定モータ３５の前側には固定モータ軸３４が伝動可能に連結され、前記固定モータ軸３４にはリール３３が固定的に設置され、前記リール３３と前記捻り軸５３との間には固定ベルト５５が連結され、前記研究チャンバ２９の底壁には底部板７０が固定的に設置され、前記底部板７０に動物を置くことができ、前記連動チャンバ５１の底壁には挟み板５８が固定的に連結され、前記連動チャンバ５１の頂壁には固定ばね５６が設置され、前記固定ばね５６の片側にはばねブロック５９が固定的に連結され、前記ばねブロック５９と前記挟み板５８とによって前記固定ベルト５５を固定でき、前記連動チャンバ５１の底壁には解錠スライドチャンバ３８が左右対称に、且つ固定的に設置され、前記作業空間２７の底壁には位置制限スライドチャンバ４７が左右対称に設置され、前記作業空間２７と前記解錠スライドチャンバ３８との中には駆動装置１０２が設置され、前記駆動装置１０２は前記固定装置１０１を駆動して解錠させられ、且つ前記研究箱３０を駆動して上下移動させられ、前記作業空間２７の左側壁には開閉スライドチャンバ４９が設置され、前記蓋２８の底面には開口チャンバ２２が設置され、前記開口チャンバ２２と前記開閉スライドチャンバ４９との間にはロック装置１０３が設置され、前記ロック装置１０３は前記蓋２８の開閉を制御できる。
【００１９】
また、実施例において、前記駆動装置１０２は動力モータ４５を含み、前記動力モータ４５は前記作業空間２７の底壁に固定的に装着され、前記動力モータ４５内には動力軸４４が伝動可能に連結され、前記動力軸４４には楕円盤４３が固定的に設置され、前記位置制限スライドチャンバ４７の左右側壁には位置制限スライド棒４８が固定的に設置され、前記位置制限スライド棒４８には位置制限スライドブロック４６がそれぞれスライド可能に連結され、前記位置制限スライドブロック４６の頂面には従動ブロック４２が固定的に設置され、前記従動ブロック４２の片側面と前記作業空間２７との間には位置制限ばね６３が連結され、
前記動力モータ４５を作動し、前記動力軸４４と前記楕円盤４３とを回転連動させ、それにより、二つの前記従動ブロック４２と二つの前記位置制限スライドブロック４６とを連動させて両側に移動させることができる。  
【００２０】
また、実施例において、すべての前記従動ブロック４２の前側面には昇降棒４１がヒンジで連結され、前記昇降棒４１の片側は前記研究箱３０とヒンジで連結され、前記昇降棒４１にはヒンジ連結棒４０がヒンジで連結され、前記ヒンジ連結棒４０の頂側には解錠スライドブロック３９がヒンジで連結され、前記解錠スライドブロック３９は前記解錠スライドチャンバ３８とスライド可能に連結され、前記解錠スライドブロック３９の頂面には細スライド棒５７が固定的に設置され、前記細スライド棒５７は前記ばねブロック５９と固定的に連結され、前記細スライド棒５７と前記挟み板５８とはスライド可能に連結され、
前記従動ブロック４２が両側に移動する時に、前記昇降棒４１と前記ヒンジ連結棒４０とは駆動され回転し、それにより、前記解錠スライドブロック３９と前記細スライド棒５７とを上方へ押し動かし、そして前記ばねブロック５９を上方へ移動させ、前記ばねブロック５９を前記挟み板５８との当接状態から離脱させ、それにより、前記固定ベルト５５は緩み、動物に対する固定を解除できる。
【００２１】
また、実施例において、前記ロック装置１０３はロック棒２３を含み、前記ロック棒２３は前記開閉スライドチャンバ４９内にスライド可能に装着され、前記ロック棒２３と前記開閉スライドチャンバ４９との間には締付ばね５０が連結され、前記開口チャンバ２２の右側壁にはロックブロック２４が固定的に設置され、前記ロックブロック２４は前記ロック棒２３と協働でき、
前記ロック棒２３が上方へ運動する時に、前記ロック棒２３と前記ロックブロック２４との当接状態を解除でき、前記蓋２８を開けることができる。
【００２２】
また、実施例において、前記連動チャンバ５１と、前記空きチャンバ３６と、前記研究チャンバ２９との中には定滑車６４が総計五つ設置され、
前記定滑車６４は前記固定ベルト５５の方向を制限できる。
【００２３】
また、実施例において、前記蓋２８の頂側には手入れチャンバ２５が左右対称に設置され、前記手入れチャンバ２５の底側にはゴム手袋２６がそれぞれ固定的に設置され、
手を前記ゴム手袋２６内に入れ、動物に治療と研究を行える。
【００２４】
また、実施例において、前記蓋２８の頂面には消毒換気システム６０が設置され、
前記消毒換気システムは前記作業空間２７内の空間に消毒と換気を行える。
【００２５】
また、実施例において、前記蓋２８はガラスで作製され、
それにより、有効的に前記作業空間２７内の状況を確認できる。
【００２６】
動物に隔離と研究を行いたい時に、まず動力モータ４５を起動し、動力軸４４と楕円盤４３とを回転連動させ、それにより、二つの従動ブロック４２と二つの位置制限スライドブロック４６とを連動させて両側に移動させることができ、そして、昇降棒４１とヒンジ連結棒４０は駆動されて回転し、それにより、解錠スライドブロック３９と細スライド棒５７とを上方へ押し動かし、そしてばねブロック５９を上方へ移動させ、ばねブロック５９を挟み板５８との当接状態から離脱させ、それにより、固定ベルト５５は緩み、研究箱３０は上方へ移動し、それにより、締付ばね５０がロック棒２３を上方へ移動連動させ、それにより、ロック棒２３とロックブロック２４との当接状態は解除され、蓋２８を開けることができ、そして、麻酔を受けた動物を底部板７０に置き、固定ベルト５５で動物を初歩的に固定し、そして固定モータ３５を起動し、固定モータ軸３４とリール３３とを回転連動させ、固定ベルト５５を少し引き締め、動物にさらなる固定を行い、続いて蓋２８を戻し、動力モータ４５を逆回転させ、楕円盤４３によって研究箱３０を下へ移動連動させ、そして挟み板５８とばねブロック５９とを再び当接させ、固定ベルト５５を完全に引き締め、動物が目覚めた後に抗って逃走することを避け、そして、手をゴム手袋２６内に差し込み、動物に治療と研究を行え、消毒換気システム６０で作業空間２７の内部空間に消毒と換気を行える。
【００２７】
本発明は以下のプラス効果を有する：本装置は小動物に隔離と固定を行え、伝統的な籠と比べ、本装置は動物と人間とを隔離できるだけでなく、伝染源付きの黴菌とウイルスもともに隔離でき、研究者が伝染病にかかる危険性を大幅に下げ、同時に本装置には消毒換気システムが設置され、動物に新しい酸素を提供でき、さらにウイルスと黴菌を殺められ、ウイルスと黴菌の拡散を防げ、また、本装置は動物を装置内に固定でき、動物に研究と治療を行う時に便利である。
【００２８】
以上に述べたのは本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【要約】
【課題】本発明は小動物に対する伝染病隔離監護籠を開示した。
【解決手段】本発明は小動物に対する伝染病隔離監護籠を開示し、隔離籠を含み、前記隔離籠の右側には連結軸が回転可能に連結され、前記連結軸には蓋が固定的に設置され、前記蓋と前記隔離籠との間には作業空間が設置され、前記作業空間内には研究箱がスライド可能に連結され、本装置は小動物に隔離と固定を行え、伝統的な籠と比べ、本装置は動物と人間とを隔離できるだけでなく、伝染源付きの黴菌とウイルスもともに隔離でき、研究者が伝染病にかかる危険性を大幅に下げ、同時に本装置には消毒換気システムが設置され、動物に新しい酸素を提供でき、さらにウイルスと黴菌を殺められ、ウイルスと黴菌の拡散を防げ、また、本装置は動物を装置内に固定でき、動物に研究と治療を行う時に便利である。
【選択図】図１【図１】
0006714187.tif 000002
【図２】
0006714187.tif 000003
【図３】
0006714187.tif 000004
【図４】
0006714187.tif 000005